(57)【要約】      （修正有）【課題】予めユーザがジョブ専有設定したい給紙カセットに対し、パスワードを設定する等の予備操作なしで、給紙カセットをジョブ専有状態にすることができ、ユーザがコピージョブのために給紙カセットにセットした特定用紙がプリントジョブによって使用されることを確実に防止することが可能な画像形成装置を提供する。【解決手段】プリントする画像データの受信手段と、受信した画像データに基づきシート材に画像形成する手段と、画像形成手段にシート材を搬送する給紙手段と、給紙手段の使用を特定の画像形成ジョブに専有させる給紙カセット専有設定手段と、給紙手段の各々にカセット開閉検知手段と、を設け、カセット開閉検知手段が開状態から閉状態への変化を検知した際に、給紙カセット専有設定手段を操作して該給紙カセットに対してジョブ専有状態を設定するよう制御することを特徴とする。【選択図】図３
2019084798.tif 000002
【特許請求の範囲】
【請求項１】
画像データを受信する受信手段と、
前記受信手段により受信された画像データに基づきシートに画像形成する画像形成手段と、
前記画像形成手段にシートを搬送する給紙手段と、
前記給紙手段の使用を特定の画像形成ジョブに専有させる専有設定手段と、
前記給紙手段の各々に設けられたカセット開閉検知手段と、
前記開閉検知手段が開状態から閉状態への変化を検知した際に、前記専有設定手段を制御して該給紙手段に対してジョブ専有状態を設定する制御手段と、
を有することを特徴とする画像形成装置。
【請求項２】
前記給紙手段の各々は紙有無検知手段を有し、
前記制御手段は、前記開閉検知手段が閉状態から開状態への変化を検知した際、及び、前記紙有無検知手段が紙無し状態を検知した際に、前記専有設定手段を制御して該給紙手段に対してジョブ専有状態を解除することを特徴とする請求項１に記載の画像形成装置。
【請求項３】
操作表示部と、
装置外部からプリントジョブを受け付ける外部インターフェイス部と、を有し、
前記制御手段は、前記ジョブ専有状態が設定された給紙手段を使用する画像形成ジョブを受け付けた際には、前記操作表示部上に該給紙手段を使用して良いかの許可を問い合わせる画面を表示し、許可された際には前記画像形成手段を制御して画像形成動作を実行するとともに、前記専有設定手段を制御して該給紙手段に対してジョブ専有状態を解除することを特徴とする請求項１又は２に記載の画像形成装置。
【請求項４】
前記開閉検知手段が開状態から閉状態への変化を検知した際に、前記専有設定手段を操作して該給紙手段に対してジョブ専有状態を設定することを、任意の給紙手段に対して有効もしくは無効の設定をする自動ジョブ専有状態設定機能のＯＮ／ＯＦＦ切り替え手段を有することを特徴とする請求項１に記載の画像形成装置。
【請求項５】
前記給紙手段は給紙カセットであることを特徴とする請求項１乃至４の何れか１項に記載の画像形成装置。
【請求項６】
プリントする画像データを受信する受信手段と、
前記受信手段により受信された画像データに基づきシートに画像形成する画像形成手段と、
前記画像形成手段にシートを搬送する給紙手段と、
前記給紙手段の一つとして、装置本体外装部に設けられた開口部より前記画像形成手段にシート材を搬送する手差し給紙手段を有し、
前記給紙手段の使用を特定の画像形成ジョブに専有させる専有設定手段と、
前記手差し給紙手段上に用紙が有るか無いか検知する手差し給紙の紙有無検知手段と、
前記手差し給紙の前記紙有無検知手段が紙無し状態から紙有り状態への変化を検知した際に、前記専有設定手段を操作して手差し給紙手段に対してジョブ専有状態を設定するよう制御する制御手段と
を有することを特徴とする画像形成装置。
【発明の詳細な説明】
【技術分野】
【０００１】
本発明は、電子写真方式の複写機等の画像形成装置に関する。
【背景技術】
【０００２】
複写機等の画像形成装置において、ある特定のコピージョブを実行する際に、そのジョブと関連性の高い特定の用紙を用いることがある。ここで、ユーザが特定用紙を給紙カセットにセットした後、コピージョブを開始するまでの間に、該当給紙カセットを使用するプリントジョブが外部から入ってきた際には、その特定用紙がプリントジョブに使用されてしまう可能性があった。
【０００３】
その場合、コピージョブのユーザにとっては、特定用紙が別ユーザのプリントジョブに使われてしまう点が不利益であった。一方、プリントジョブのユーザにとっても、特定用紙にプリントしてしまったジョブを再度通常用紙にプリントし直す必要が発生する点で、双方に不利益が生じていた。
【０００４】
そこで特許文献１では、複数の給紙カセットのうちで特定の給紙カセットを使用する際にパスワード入力を求め、入力されたパスワードが認証されない場合には、その給紙カセットを使用させないことが開示されている。特定の給紙カセットを専有状態にすることで、その給紙カセットに収容された特定用紙が他のユーザに使用されることの防止を実施している。
【先行技術文献】
【特許文献】
【０００５】
【特許文献１】特開２００４−２１０４９号公報
【発明の概要】
【発明が解決しようとする課題】
【０００６】
特許文献１では、ユーザが給紙カセットに用紙（特定用紙）をセットする前に、予め給紙カセットに対してパスワードを設定しておく必要があった。手順を違えて、先に用紙（特定用紙）を給紙カセットにセットしてしまった場合には、その後でパスワードを設定しようとするまでの間に、そのタイミングで入ってきたプリントジョブが特定用紙を使用してしまう可能性がある、という課題があった。
【課題を解決するための手段】
【０００７】
上記課題を解決するために、プリントする画像データを受信する画像データ受信手段と、前記画像データ受信手段において受信された画像データに基づきシート材に画像形成する画像形成手段と、前記画像形成手段にシート材を搬送する給紙手段と、前記給紙手段の使用を特定の画像形成ジョブに専有させる給紙カセット専有設定手段と、前記給紙手段の各々に設けられたカセット開閉検知手段と、を設け、記カセット開閉検知手段が開状態から閉状態への変化を検知した際に、前記給紙カセット専有設定手段を操作して該給紙カセットに対してジョブ専有状態を設定するよう制御することを特徴とする。
【発明の効果】
【０００８】
本発明によれば、ユーザが用紙を給紙カセットにセットする過程において、給紙カセットが開状態から閉状態に変化したことを検知して、該当給紙カセットに対して自動でジョブ専有状態を設定する。これにより、予めユーザがジョブ専有設定したい給紙カセットに対し、パスワードを設定する等の予備操作なしで、給紙カセットをジョブ専有状態にすることができる。よって、ユーザがコピージョブのために給紙カセットにセットした特定用紙がプリントジョブによって使用されることを確実に防止することが可能となる。
【図面の簡単な説明】
【０００９】
【図１】画像形成装置の実施形態に関わる制御ブロック図。
【図２】画像形成装置の実施形態に関わる概略構成図。
【図３】スタンバイ時のジョブ専有設定のＯＮ／ＯＦＦに関わる制御を示したフローチャート。
【図４】プリントジョブの実行に関わる制御を示したフローチャート。
【図５】ジョブ専有設定状態の給紙カセットを使用するプリントジョブ受信時に表示される操作表示部画面の一例を示す図。
【図６】プリントジョブにおける用紙給紙段選択に関わる制御を示したフローチャート。
【図７】コピージョブの実行に関わる制御を示したフローチャート。
【図８】カセット開閉の検知に応じて該当した給紙カセットに対してジョブ専有状態を自動で設定する機能自体をＯＮ／ＯＦＦする操作表示部画面の一例を示す図。
【図９】カセット開閉の検知に応じて該当した給紙カセットに対してジョブ専有状態を自動で設定する機能を給紙カセット毎にＯＮ／ＯＦＦする操作表示部画面の一例を示す図。
【図１０】ジョブ専有設定状態の給紙カセットを使用するプリントジョブ受信時に表示される操作表示部画面の一例を示す図。
【発明を実施するための形態】
【００１０】
（第１の実施形態）
図１は、本発明の実施形態を示した画像形成装置の制御ブロック図である。図２は、本実施形態における画像形成装置の断面図である。図１及び図２を用いて、基本構成について説明する。
【００１１】
＜画像形成装置の制御構成＞
図１のプリンタ部１０内の制御部２００は、ＣＰＵ２０１、ＲＯＭ２０２、ＲＡＭ２０３から構成される。ＲＯＭ２０２には、画像形成の手順及び後述するフローチャートの手順が記憶されている。ＲＡＭ２０３は、ＣＰＵ２０１の制御データの一時的な記憶（後述する給紙カセットのジョブ専有設定情報を含む）や、制御に伴う演算処理の作業領域として用いられる。そしてＣＰＵ２０１は、操作表示手段である操作表示部２０からの、例えばプリント動作開始指示の入力に応じて、画像形成部２０６を制御して画像形成動作を行うことが可能な構成である。
【００１２】
１１０は画像形成部２０６に用紙を供給する給紙部である。ＣＰＵ２０１は、給紙部１１０内の給紙段１（１０１ａ）、給紙段２（１０１ｂ）、マルチ手差し（１０１ｃ）を制御して、給紙段である給紙カセットあるいは手差しユニットから用紙を給紙する。１０２は給紙段（１０１ａ、１０１ｂ）内に用紙があるか、及びマルチ手差し（１０１ｃ）上に用紙があるかを検知するためのセンサ（１０２ａ、１０２ｂ、１０２ｃ）である。１０３は給紙段（１０１ａ、１０１ｂ）の開閉状態を検知するためのセンサ（１０３ａ、１０３ｂ）である。
【００１３】
原稿読取り部１００は、原稿束をスキャンして画像データに変換し、制御部２００に送る。制御部２００は、受信した画像データに基づいて画像形成動作を行う。もしくは、制御部２００は、ネットワーク回線を経由してＰＣ２０４から送信される画像データを、外部Ｉ／Ｆ２０５を介して受信し、受信した画像データに基づいて画像形成動作を行う。
【００１４】
＜画像形成動作について＞
図２を用いて、基本的な画像形成動作について説明する。操作表示部２０（図示しない）や外部のＰＣ２０４（図示しない）からプリント動作開始の指示が入ると、制御部２００は、給紙段１０１を制御して給紙動作を開始する。
【００１５】
ここでは給紙段２（１０１ｂ）からの給紙を例に説明する。給紙ピックアップローラ１５１は定着前搬送モータ（図示しない）に接続し、制御部２００が定着前搬送モータを駆動することで給紙ピックアップローラ１５１は回転する。給紙ピックアップローラ１５１の回転駆動により、給紙カセット１５０内の用紙が１枚ずつ給紙搬送される。この時、用紙の給紙動作が正常に処理できたかを給紙ピックアップセンサ１５２を用いて監視する。
【００１６】
その後、用紙は搬送ローラ１５３、１５４、１５５によってレジ搬送ローラ１６１に搬送される。
【００１７】
一方で、制御部２００は、二次転写部１４０に用紙が到着するタイミングに間に合うように、カートリッジ１２０の画像形成動作を開始する。１２０ａはイエロー（以下Ｙと記す）の画像を形成するためのカートリッジであり、ユーザが装着、取り外し可能な構成となっている。
【００１８】
以下同様に、１２０ｂはマゼンタ（以下Ｍと記す）、１２０ｃはシアン（以下Ｃと記す）、１２０ｄはブラック（以下Ｋと記す）のカートリッジである。カートリッジ１２０ａ、１２０ｂ、１２０ｃ、１２０ｄは、内蔵される現像器（図示しない）内のトナー色が各々Ｙ、Ｍ、Ｃ、Ｋと異なっている以外は同様の構成である。
【００１９】
１２２はレーザスキャナユニットであり、カートリッジ１２０にレーザ光を照射し、カートリッジ１２０内の感光ドラム（図示しない）上に潜像を形成する。形成された潜像は、その後、現像器（図示しない）内のトナーにより感光ドラム（不図示）上に現像される。現像されたトナー画像は、一次転写部１２１において一次転写電圧を印加され、中間転写ベルト１３０へと転写される。各色のカートリッジで現像された単色のトナー画像は、中間転写ベルト１３０上で重ね合わさせてカラー画像となり、中間転写ベルト１３０の回転（図中では時計回り）によって二次転写部１４０へと至る。
【００２０】
中間転写ベルト１３０はローラ部材１４２により回転駆動される。制御部２００は、搬送ローラ１５５により搬送された用紙の位置について、レジ前搬送センサ１６０を監視することで検知する。
【００２１】
そして、レジ前搬送センサ１６０に用紙先端が到達したタイミングに基づいて、用紙と中間転写ベルト１３０上のトナー画像が二次転写部１４０で一致するように用紙搬送を制御する。例えば、トナー画像に対して用紙が早く到達していると判断した場合には、ずれ量に相当する時間だけレジ搬送ローラ１６１で用紙を停止させた後に、搬送を再開するよう制御する。
【００２２】
以上のようにして二次転写部１４０に到達した用紙とトナー画像に対して、二次転写電圧を印加することで、トナー画像は用紙に転写される。用紙に転写されずに残留したトナーは、ベルトクリーニング部１４１で中間転写ベルト１３０上から除去される。
【００２３】
一方、二次転写後の用紙については定着器１７０に搬送するよう制御し、定着器１７０では、用紙上のトナー画像が用紙に加熱・加圧定着される。その後は、さらに装置下流部へと搬送するよう制御する。
【００２４】
定着後の用紙先端が、用紙搬送センサ１７１に到達すると、制御部２００は、予め操作表示部２０から指定されていた指示に従って、用紙搬送路２３０あるいは用紙搬送路２３１のどちらに用紙を搬送するかを判断する。そして、搬送フラッパ１７２を切り替えることで、用紙の搬送先を切り替える。
【００２５】
具体的には、用紙が両面プリントの表面（１面目）の場合には、用紙搬送路２３０に搬送するよう搬送フラッパ１７２を制御する。また、片面プリントあるいは両面プリントの裏面（２面目）の場合には、用紙搬送路２３１に搬送するよう搬送フラッパ１７２を制御する。
【００２６】
以下、用紙搬送路２３１に用紙を搬送した場合について記述する。用紙搬送路２３１へ搬送された用紙は、搬送ローラ２３２によりさらに下流へと搬送される。ここでも上述の切り替え制御と同様に、予め操作表示部２０から指定されている指示に従い、制御部２００が用紙搬送フラッパ１９０を切り替える。
【００２７】
それにより、用紙を用紙搬送路１８０側に搬送するか、用紙搬送路１８１側に搬送するかを切り替え可能な構成となっている。ユーザの排紙指定先が排紙トレイ１９９の場合には用紙搬送路１８０へと搬送し、排紙指定先が排紙トレイ１９６の場合は用紙搬送路１８１へと搬送する。
【００２８】
用紙搬送路１８１へと搬送された用紙は、さらに用紙搬送フラッパ１９１により、排紙トレイ１９６あるいは強制排紙トレイ１９２へと搬送される。１９５は排紙トレイ１９６への排紙の状況を監視するための排紙センサである。なお、上記の基本的な画像形成動作は一例であり、本発明は上記構成に限定されるものではない。
【００２９】
＜給紙カセットのジョブ専有設定について＞
ここで、給紙カセットのジョブ専有設定について説明する。前述のように、特定の用紙にコピーする特定のジョブを実行する際には、ユーザが特定用紙を給紙カセットにセットするステップが入る。これは通常時には特定用紙は給紙カセットにセットされていないことを想定している。
【００３０】
このように目的をもってセットされた特定用紙が、対応する特定のコピージョブではないプリントジョブに使用されてしまうことは、コピージョブ、プリントジョブ双方のユーザにとって不利益であることは、前述のとおりである。
【００３１】
そのために、特定用紙がセットされた給紙カセットに対して、特定のジョブだけに使用を許可し、それ以外のジョブには使用させないための設定を、本発明における「給紙カセットのジョブ専有設定」と定義した。また給紙カセットのジョブ専有設定がＯＮの状態を「給紙カセットがジョブ専有状態である」と定義した。
【００３２】
本実施形態においては、特定用紙を使って特定のコピージョブを実行するユーザが特定用紙を給紙カセットにセットした際に、確実に給紙カセットがジョブ専有状態にできることを目的とする。そこで、用紙を給紙カセットにセットするための給紙カセットを開いてから閉じる動作に応じて、給紙カセットのジョブ専有設定をＯＮするようにした。
【００３３】
給紙カセットのジョブ専有設定をＯＦＦするタイミングとしては、コピージョブ後に該当給紙カセットの用紙が無くなった場合、該当給紙カセットが開かれた場合に、給紙カセットのジョブ専有設定をＯＦＦするようにした。また、受け付けたプリントジョブに対してコピージョブのユーザが該当給紙カセットの使用を許可した場合に、給紙カセットのジョブ専有設定をＯＦＦするようにした。
【００３４】
＜制御フローの説明：スタンバイ時のジョブ専有設定のＯＮ／ＯＦＦ制御＞
図３は、制御部２００による、給紙カセットのジョブ専有設定のＯＮ／ＯＦＦ処理に関わるスタンバイ時の制御の流れを示したフローチャートである。制御部２００は、電源ＯＮを受けて、まずはステップＳ３０１で初期設定を行い、スタンバイ状態になるのを待つ（Ｓ３０２）。
【００３５】
スタンバイ状態において、ステップＳ３０３で給紙カセットの開状態から閉状態への変化を検知した際には、ステップＳ３０４において、該当給紙カセットをジョブ専有状態にする。具体的には、制御部２００で給紙部１１０の各給紙段の開閉検知センサ（１０３ａ、１０３ｂ）の状態を確認し、センサの出力値が開の値から閉の値に変化したセンサに該当する給紙段に対して給紙カセットのジョブ専有設定をＯＮにする。
【００３６】
また、マルチ手差し（１０１ｃ）においては、給紙カセットの開閉に相当する機能はないため、マルチ紙有無検知センサ１０２ｃのセンサ値の紙無しから紙有りへの変化に応答して、マルチ手差しに対するジョブ専有設定をＯＮするようにしている。
【００３７】
スタンバイ状態において、ステップＳ３０５で給紙カセットの閉状態から開状態への変化を検知した際には、次にステップＳ３０６で該当給紙カセットのジョブ専有設定がＯＮであるかを確認する。ステップＳ３０６で該当給紙カセットのジョブ専有設定がＯＦＦだった場合は何もしないが、ＯＮであった場合にはステップＳ３０７に進んで、該当給紙カセットのジョブ専有状態を解除する。具体的には、制御部２００で給紙部１１０の各給紙段の開閉検知センサ（１０３ａ、１０３ｂ）の状態を確認する。
【００３８】
そして、センサの出力値が閉の値から開の値に変化したセンサに該当する給紙段に対して、給紙カセットのジョブ専有設定がＯＮであった場合には設定をＯＦＦにする。また前述のように、マルチ手差し（１０１ｃ）においては、給紙カセットの開閉に相当する機能はない。そのため、マルチ紙有無検知センサ１０２ｃのセンサ値が紙有りから紙無しに変化したことに応答して、マルチ手差しに対するジョブ専有設定がＯＮだった場合はＯＦＦするようにしている。
【００３９】
次にステップＳ３０８において、給紙カセットの紙無し検知を行い、給紙カセット内の用紙が無くなったと判断した場合には、ステップＳ３０７に進んで、該当給紙カセットのジョブ専有設定をＯＦＦにする。
【００４０】
続くステップＳ３０９において、プリントジョブを受け付けたかどうかの判定を行い、受け付けていなかった場合は何もしないが、プリントジョブを受け付けたと判定した場合には、ステップＳ３１０に進む。ステップＳ３１０では、プリントジョブが使用する給紙カセットがジョブ専有状態であるかを判定する。ステップＳ３１０において、ジョブ専有設定がＯＦＦであった場合は何もしないが、ジョブ専有設定がＯＮであった場合には、ステップＳ３１１で該当給紙カセットの使用が許可されたかを判定する。
【００４１】
ステップＳ３１１において、プリントジョブが使用する給紙カセットの使用が許可されなかった場合は、ここでは何もしないが、許可された場合には、ステップＳ３０７に進んで、該当給紙カセットのジョブ専有設定をＯＦＦにする。
【００４２】
ここで再度、給紙カセットのジョブ専有設定のＯＦＦもしくはジョブ専有状態の解除について説明する。給紙カセットのジョブ専有設定がＯＮの状態では、特定のジョブ以外のプリントジョブ等は該当給紙カセットの使用が許可されないため、プリント実行が待たされる。その状態からプリント実行を許可するためには、該当する給紙カセットのジョブ専有設定をＯＦＦする必要がある。上記のように、本発明では、給紙カセットが開かれたこと、給紙カセット内の用紙が無くなったことの検知に基づいて給紙カセットのジョブ専有設定をＯＦＦすることとした。
【００４３】
これは、特定用紙を使用する特定ジョブの終了により、給紙カセットにセットした特定用紙の枚数が特定ジョブで使用する枚数と一致していた場合に紙無しになることを想定している。または、特定用紙が給紙カセット内に残った場合には、ユーザがそれを取り出すために給紙カセットを開けることを想定している。その他に上記のステップＳ３１１の許可判定による給紙カセットのジョブ専有設定ＯＦＦがあるが、それについては後述する。
【００４４】
＜制御フローの説明：プリントジョブ実行制御＞
図４は、制御部２００による、外部Ｉ／Ｆ２０５を介して受信されたＰＣ２０４からのプリントジョブを処理するプリント制御の流れを示したフローチャートである。
【００４５】
制御部２００は、電源ＯＮを受けて、まずは初期化処理を実行（Ｓ４０１）し、ステップＳ４０２でプリント予約があるかを確認する。プリント予約とは、画像形成装置がプリント実行できない状態の間に受け付けたジョブを、プリント実行できる状態になった際にプリントする機能である。例えば、初期化処理中にプリントジョブを受け付けた場合や、プリントジョブの受け付け時に既に別のプリントジョブが実行されていた場合、またはプリントジョブの実行中にコピージョブを受け付けた場合等で、新規に受け付けたジョブがプリント予約ジョブとなる。
【００４６】
ステップＳ４０２でプリント予約されているジョブがあると判定した場合には、ステップＳ４０３において、画像形成装置がプリント可能状態になるのを待つ。そしてプリント可能状態になったことを受けて、ステップＳ４０４でプリント予約ジョブのプリントを実行する。ステップＳ４０２でプリント予約がないと判定した場合、及び、ステップＳ４０４でのプリント予約ジョブのプリント実行後は、ステップＳ４０５において、プリントデータの受信を待つ。
【００４７】
ステップＳ４０５においてプリントデータを受信した場合は、ステップＳ４０６に進んで用紙を給紙する給紙段（給紙カセット）を選択する。給紙段選択の詳細な制御の流れは後述する。続くステップＳ４０７では、プリント実行しようとしているプリントジョブの用紙サイズと、ステップステップＳ４０６において選択された給紙カセットにセットされている用紙のサイズが一致しているかを判定する。ステップＳ４０７でサイズ不一致と判定した場合には、ステップＳ４０８に進んで、プリントジョブをプリント予約し、次のプリント実行タイミングを待たせる。
【００４８】
ステップＳ４０７において、プリントジョブと選択された給紙カセットの用紙サイズが一致すると判定した場合は、ステップＳ４０９に進んで、該当給紙カセットのジョブ専有設定がＯＮになっているかを判定する。ステップＳ４０９においてジョブ専有設定がＯＮと判定した場合は、ステップＳ４１０に進んで、該当給紙カセットをプリントジョブが使用することを許可するかどうかをユーザに指示させるための画面（図５。詳細は後述）を、操作表示部２０に表示する。
【００４９】
次に、ステップＳ４１１で該当給紙カセットの使用が許可されたかの判定を行う。ここで使用が許可されなかった場合、即ち、実際に装置の前にいるユーザが図５の表示を見て、プリントジョブに該当給紙カセットの使用を許可しないボタン５０２を選択した場合には、プリントジョブをプリント予約ジョブにする（Ｓ４０８）。
【００５０】
一方で、ステップＳ４１１において使用が許可された場合、即ち、装置前のユーザがプリントジョブに該当給紙カセットの使用を許可するボタン５０１を選択した場合には、該当給紙カセットのジョブ専有設定をＯＦＦ（Ｓ４１２）する。そしてプリントジョブのプリントを実行（Ｓ４１３）する。ユーザが許可するボタン５０１を選択したということは、ユーザが補給した用紙は特定ジョブに特化した特定用紙ではないとして、ステップＳ４１２で、該当給紙カセットのジョブ専有状態を解除するようにしている。この部分が、図３のステップＳ３１１からのステップＳ３０７での該当給紙カセットのジョブ専有設定のＯＦＦに該当する。
【００５１】
ステップＳ４０８で、受け付けたプリントジョブをプリント予約した後、及び、ステップＳ４１３で、受け付けたプリントジョブのプリントを実行した後は、ステップＳ４０２に戻って制御を継続する。
【００５２】
＜操作部画面表示例：プリントジョブに対する給紙カセット使用許可操作１＞
図５は、ステップＳ４１０における、該当給紙カセットをプリントジョブが使用することを許可するかどうかをユーザに指示させるための画面の一例である。ここで、許可するボタン５０１をユーザが選択した場合は、該当給紙カセット（給紙カセットの状態が開状態から閉状態になった給紙カセット）の用紙を使ってプリントジョブを実行する。一方で、許可しないボタン５０２が選択された場合には、該当給紙カセットの使用許可が下りなかったとして、プリントジョブはプリント予約される。
【００５３】
＜制御フローの説明：プリントジョブにおける用紙給紙段選択制御＞
図６は、図４のステップＳ４０６に示した、制御部２００による、プリントジョブにおける用紙の給紙段（給紙カセット）を選択する制御の流れを示したフローチャートである。
【００５４】
ステップＳ６０１において、受け付けたプリントジョブ内で給紙する給紙カセットが指定されているかを判断する。給紙カセットが指定されていた場合には、使用する給紙カセットを確定（Ｓ６０２）し、給紙段選択の処理を終了する。ステップＳ６０１で使用する給紙カセットが指定されていなかった場合には、プリントジョブで使用する給紙カセットを装置側で選択（自動選択）する必要がある。
【００５５】
ステップＳ６０３では全給紙カセットを確認したかを判定する。全給紙カセットに対する給紙段判定が済んでいない場合は、ステップＳ６０４に進み、予め設定されている給紙カセットの優先順序に従い、次の優先度の給紙カセットを給紙段候補として選択する。次にステップＳ６０５に進み、選択された給紙カセットにセットされている用紙サイズと、受け付けたプリントジョブの用紙サイズとを比較する。用紙サイズが一致しなかった場合には、その給紙カセットは使用できないため、ステップＳ６０３に戻る。
【００５６】
ステップＳ６０５において用紙サイズが一致した場合は、ステップＳ６０６に進み、給紙段候補として選択された給紙カセットのジョブ専有設定がＯＦＦであるかを判定する。ジョブ専有設定がＯＮであった場合には、他に使用可能な給紙カセットを探すために、ステップＳ６０７で用紙サイズ一致給紙段としてＲＡＭ２０３内に記憶し、ステップＳ６０３に戻る。ステップＳ６０６において、給紙段候補として選択された給紙カセットのジョブ専有設定がＯＦＦと判定された場合には、ステップＳ６０８で、該給紙カセットをプリントジョブに使用する給紙カセットとして確定し、給紙段選択の処理を終了する。
【００５７】
ステップＳ６０３において、全給紙カセットに対して確認したと判定した場合には、ステップＳ６０９で、用紙サイズ一致給紙段があるかを判定する。用紙サイズ一致給紙段が記憶されていた場合には、ステップＳ６１０に進み、記憶されていた用紙サイズ一致給紙段をプリントジョブに使用する給紙カセットとして確定し、給紙段選択の処理を終了する。ここで複数の給紙カセットが用紙サイズ一致給紙段として記憶されていた場合は、予め設定されている給紙カセットの優先順序に従い、優先順序の高い給紙カセットを選択する。
【００５８】
ステップＳ６０９において、用紙サイズ一致給紙段が記憶されていなかった場合には、ステップＳ６１１に進み、予め設定されている給紙カセットの優先順序に従い、優先順序の高い給紙カセットを選択して給紙段選択の処理を終了する。
＜制御フローの説明：コピージョブ実行制御＞
図７は、制御部２００による、コピージョブを処理する制御の流れを示したフローチャートである。
【００５９】
コピージョブの開始を受けてステップＳ７０１ではコピー実行の前処理を行う。具体的には、定着器１７０の温度をコピー実行に適した温度まで上昇させることや、画像形成部２０６が適切な色・濃度で画像形成できるように調整することを含んだ各種調整を実施する。その後、コピージョブを実行（Ｓ７０２）し、コピージョブの終了を受けて（Ｓ７０３）、コピージョブ中に紙無しとなった給紙カセットがあるかを確認する（Ｓ７０４）。
【００６０】
ステップＳ７０４において、紙無しとなった給紙カセットがあった場合には、ステップＳ７０５に進み、該当した給紙カセットがジョブ専有状態であったかを確認する。ジョブ専有状態でない、即ち給紙カセットのジョブ専有設定がＯＦＦであった場合にはそのままコピージョブを終了する。一方、ジョブ専有設定がＯＮであった場合には、該当カセットのジョブ専有設定をＯＦＦ（Ｓ７０６）して、コピージョブを終了する。
【００６１】
ステップＳ７０４において、紙無し状態の給紙カセットが無いと判定した場合には、ジョブ専有設定を操作することなしに、そのままコピージョブを終了する。コピージョブの終了に関連付けてジョブ専有設定をＯＦＦしないことで、ユーザがセットした特定用紙がコピージョブの終了後にまだ給紙カセット内に残っていた場合に、プリントジョブに使用されてしまうことを防止する。
【００６２】
なお、本実施形態における図４、図６、図７のフローチャートの説明においては、給紙段として給紙カセットに限定した記載となっているが、図３のフローチャート説明に記載したようにマルチ手差しに対しても適用可能である。
【００６３】
＜画面表示例：給紙カセットのジョブ専有設定モードのＯＮ／ＯＦＦ操作＞
なお、ここまで実施形態の説明をシンプルにするために全ての給紙カセットに対して、カセット開閉によるジョブ専有設定のＯＮ／ＯＦＦをするような記載とした。しかし、実際のオフィスでは、特定用紙を使用するような特定ジョブがない、あるいはほとんどないことも考えられる。そのような状況では、本発明の実施はかえって操作性・利便性の低下をもたらすことになる。
【００６４】
そこで図８に示すように、操作表示部２０に設定画面８００を表示し、カセット開閉の検知に応じて該当した給紙カセットに対してジョブ専有状態を自動で設定する機能自体をＯＮ／ＯＦＦできるようにした。これにより、特定用紙を使用する特定ジョブを実行しないオフィスにおいては、カセット開閉によるジョブ専有状態の自動設定機能自体を無効にできる。８０１はジョブ専有状態の自動設定機能のＯＮ／ＯＦＦを選択するためのボタンである。８０３は次の設定項目に画面を進めるためのボタンである。８０４は前の設定項目に画面を戻すためのボタンである。８０２は設定モードを終了するためのボタンである。
【００６５】
また、図９に示すように、操作表示部２０に設定画面９００を表示し、カセット開閉の検知に応じて該当した給紙カセットに対してジョブ専有状態を自動で設定する機能を、ユーザが所望する給紙カセットに対して有効にできるようにした。これにより、特定用紙を使用する特定ジョブを実行する際には、必ず上記画面で設定した給紙カセットを使用するように運用することで、特定用紙が無駄に使用されることを防止できる。９０１は、カセット開閉によるジョブ専有状態自動設定を有効とする給紙カセットを選択するボタンである。
【００６６】
図９の例では、カセット２（給紙段２、１０１ｂ）に対して、カセット開閉によるジョブ専有状態自動設定を有効（ＯＮ）にしている。９０２は、ユーザが選択したカセット開閉によるジョブ専有状態自動設定を有効とする給紙カセットを確定し、選択画面を終了するためのボタンである。
【００６７】
＜画面表示例：プリントジョブに対する給紙カセット使用許可操作２＞
図１０は、図５で説明した、該当給紙カセットをプリントジョブが使用することを許可するかどうかをユーザに指示させるための画面の別の一例である。ユーザが複数の給紙カセットに用紙を補給した場合に、給紙した全ての給紙カセットが特定用紙ではないことが考えられる。
【００６８】
ここではプリントジョブが使用する（使用したい）給紙カセットを合わせて表示することで、複数の給紙カセットに用紙を補給した場合でも、状況に合わせてユーザが給紙カセットの使用を許可できるようにした。許可するボタン１００１をユーザが選択した場合は、該当給紙カセット（給紙カセットが開状態から閉状態になった給紙カセット）の用紙を使ってプリントジョブを実行する。一方で、許可しないボタン１００２が選択された場合には、該当給紙カセットの使用許可が下りなかったとして、プリントジョブはプリント予約される。
【００６９】
以上、本発明の実施形態にかかる画像形成装置について説明したが、構成はこれに限らない。例えば、特定用紙を給紙カセットにセットするユーザが実行したいジョブが、原稿をスキャンしてプリントするコピージョブではなく、予め画像形成装置内に保存されたプリントデータをプリントして出力するボックスプリントジョブであっても良い。
【符号の説明】
【００７０】
２０    操作表示部
１０２  カセット開閉センサ
１１０  給紙部
２０１  ＣＰＵ
２０６  画像形成部
【図１】
2019084798.tif 000003
【図２】
2019084798.tif 000004
【図３】
2019084798.tif 000005
【図４】
2019084798.tif 000006
【図５】
2019084798.tif 000007
【図６】
2019084798.tif 000008
【図７】
2019084798.tif 000009
【図８】
2019084798.tif 000010
【図９】
2019084798.tif 000011
【図１０】
2019084798.tif 000012